(57)【要約】      （修正有）【課題】微小な室内空気の動きを効率よく捉え、その微小なエネルギーで飾りに不規則な回転揺動運動を行わせる。【解決手段】オフセットした風圧中心を有するごく軽量の風受けの回転体２と、他の回転体を、捩り弾性を有する吊り糸１ａ、１ｂにより上下に組み合わせ、微小な室内空気の動きを捉えて回転体それぞれを不規則に回転揺動させる。【選択図】図３
0003104393.tif 000002
【実用新案登録請求の範囲】
【請求項１】
室内に吊り下げる飾りであって、捩り弾性を有する吊り下げ材に、吊り下げ軸回りに回転可能な第一回転体と、同様に回転可能な第二回転体を高さを違えてそれぞれ係留し、この二つの回転体の両方あるいはいずれか一つに吊り下げ軸からオフセットした風圧中心を有する風受け部を構成した微風駆動の回転飾り装置。
【請求項２】
室内に吊り下げる飾りであって、捩り弾性を有する吊り下げ部材の下端に吊り下げ軸回りの回転体を係留し、該回転体は前記吊り下げ軸中心に対して重量バランスをとるとともにオフセットした風圧中心を有することを特徴とする微風駆動の回転飾り装置。
【考案の詳細な説明】
【考案の詳細な説明】
【技術分野】
【０００１】  この考案は、室内の微少な空気の動きによって自然に駆動される吊り下げ式飾り装置に関する。
【背景技術】
【０００２】  天空に揺れるオーロラが神秘的な感興を与えるように、不規則に揺らぐ美的なものは、見る人に感覚的な安らぎと癒しを与える。このような視覚効果を与える目的で、吊り下げ式のインテリア装飾品が販売されている。図１は市販品の一つを簡略化した図で、気球を思わせる彩り豊かな紙またはプラスチック製の飾りを複数個、連結したものである。このように気球、花、鳥、魚、抽象形などをデザインした飾りが市場に供されているが、エアコンや通路など空気の動きがある場所以外では安定して吊り下がった形のままである。動きがあっても風鈴式の前後揺れまたは弥次郎兵衛式の規則的な上下揺れが基本で、回転方向の不規則運動は期待できない。図２は金属製フレームを糸で吊し、その中にさらに飾りを吊した二重ペンダントの商品例であるが、重量のある金属製フレームで外周を囲っているために慣性質量が大きく、また風圧中心がオフセットしていないので微風による回転揺動は期待できない。以上の商品にはそれぞれ意匠的な特徴はあるが、微風を捉えて回転駆動を得る機能がない。飾りに回転方向の揺らぎを与えるエネルギー源に工夫がないため、手で触れるとか、窓を開けて風を取り入れる、あるいはエアコンや扇風機の風を当てるなどをしないと直ぐに静止して、ただぶら下がっているだけになりやすい。また動いた場合も前後あるいは左右に風に押されて動くか、弥次郎兵衛式に規則的に上下に動くのに留まる。従い、雰囲気を楽しめるように見た目のデザイン性が重視されて、構造的な工夫はなされていなかった。本考案のごとく、微風による回転捩りエネルギーを蓄えて飾り体を不規則に回転駆動するアイデアに関する特許あるいは実用新案の出願は、公報で調べても見当たらない。積極的に室内飾りを不規則に回転駆動するアイデアとしては、特許公開平８−６２３５１号公報において、モーターおよび永久磁石により不規則に回転駆動する卓上型の回転飾りがあるが、卓上あるいは棚などの定置場所と電力源を必要とし、本考案の吊り下げ型の回転飾りとは趣を異にする。
【考案が解決しようとする課題】
【０００３】  課題は、微小な室内空気の動きを効率よく捉えることができるかどうか、またその微小なエネルギーで飾りに不規則な運動を行わせることができるかどうかである。
【課題を解決するための手段】
【０００４】  上記課題解決のために講じた手段は、室内の微小な空気の動きを敏感に捉えるために、ごく軽量の風受け回転体を糸で吊し、風受け体の風圧中心を糸の吊り下げ軸からオフセットさせたことである。これによって捉えた空気の移動エネルギーを捩り弾性を有する吊り糸に捩り回転エネルギーとして蓄えるようにし、風が止むかあるいは方向が変化した時に、蓄えたエネルギーを放出しながら風受け回転体を緩やかに逆回転させることである。この風受け回転体に、同様の風受け回転体を多段式に糸で吊せば、相互の干渉と慣性効果により、各回転体にそれぞれ異なった複雑な回転あるいは停止を行わせることができる。
【作用】
【０００５】  人の居住する室内は、僅かではあっても絶えず空気が動いている。本考案の回転飾り装置は、この僅かな空気の動きを敏感に捉えて飾りを動かすものである。風受け板として厚さ１ｍｍ程度の発泡プラスチック板などの軽量材を使用した場合は、重量は数グラム程度であり、慣性質量がきわめて小さい。この風受け板を組み込んだ飾り回転体を糸で吊り下げた場合には、飾り回転体は糸で吊られて上下を拘束されているが、回転方向には微小な空気の動きにも敏感に反応して軽快に動くことができる。直線的に移動する微風の圧力を効率よく捉えるため、この回転体には前記の軽量風受け板が吊り下げ回転軸からオフセットして組み込まれている。微風による回転力は、風受け板の有効面積と風圧、風圧中心と回転軸の距離の積で表される。この回転力により、吊り糸は捩られて回転エネルギーを蓄積し、風が変化した時に回転体を逆方向に戻すことでエネルギーを放出する。この風受け板からさらに下方に同様の回転体を吊り下げた場合は、風当たりの相違、糸の弾性による回転力伝達遅れ、それぞれの慣性質量効果により、各回転体に起動の時間遅れを生じてより緩やかで不規則な回転運動を行う。
【実施例】
【０００６】  本考案の実施例１について図３の正面図により説明する。天井その他の室内構造物に、吊り糸１ａが上端を固定され、下端に風受け回転体２をバランス中心２ａで係留している。風受け回転体２は、一方に発泡プラスチックの薄板で作った垂直面の受風部２ｃがオフセットして組み込まれ、アーム２ｂが反対方向に伸びている。受風部２ｃは飾りとしてデザインされている。アーム２ｂは受風部２ｃとの重量バランスを取るためのものであって、形状は風圧を受けにくいものが良く、受風部２ｃと同形状の板を水平にしたもの、あるいは若干の捩り角度を付けた翼状のものでも良い。風受け回転体２のバランス中心２ａから下方に他の回転体３を吊り糸１ｂで吊している。吊り糸１ｂの下端は回転体３のアーム３ｂをバランス中心３ａにおいて係留している。アーム３ｂの両外側端に飾り部３ｃがそれぞれ取り付けられている。図３では、３ｃを円形にしているが、花、小鳥、魚、抽象形などの飾りがあり、これらをアーム３ｂに固定あるいは糸で吊しても良い。図４に示す実施例２は、風受け回転体２を二つ、２段式に吊り下げたものである。本実施例は２段式で構成しているが、３段以上の多段でも実施することができる。またそのうちのいくつかを飾り専門に構成することができる。図５に示す実施例３は、風受け回転体２をループ状の軽量フレームに変えたもので、受風部２ｃはフレーム２ｄの片側に組み込まれている。吊り糸１ａの下端に、フレーム２ｄの上辺のバランス中心２ａを係留している。中心２ａから下方に回転体３を吊り糸１ｂで吊り下げている。回転体３は、風受け回転体２に比べて、慣性質量が大きい方が緩やかな動きを得ることができる。回転体３はアーム３ｂのバランス中心３ａを吊り糸１ｂに係留されている。フレームを含む風受け回転体２および回転体３はいずれも飾りデザインの対象である。実施例では吊り下げを糸によって行うとしたが、捩り可能な平紐あるいはコイル材であっても差し支えない。【０００７】  実施例１、２および３では、風受け回転体から下方に他の回転体を吊り下げたが、風受け回転体を最下端に配置し、他の回転体を吊り糸の中間に係留しても類似の効果を得ることができる。【０００８】  図６は実施例４を示し、飾り回転体４のアーム４ａの一端に受風部４ｂを取付け、アームの反対側に飾り部４ｃを組み込んだものである。飾り部４ｃはアーム４ａに固定しても吊しても良い。受風部４ｂに回転方向傾き角を与えた場合は壁際の下降気流や日射熱、ヒーターの上昇気流を受けて回転することができる。一体化で重くなるために起動はやや緩慢となるが、緩やかな不規則回転揺動を得ることができる。
【考案の効果】
【０００９】  本考案による吊り下げの回転飾り装置は、簡潔な構造でありながら風圧中心をオフセットした風受け回転体によって非常に敏感に空気の動きを捉え、このエネルギーを吊り糸に捩り回転のエネルギーとして蓄積あるいは放出させて、飾りの回転運動に変換する。飾り回転体の動きはきわめて緩やかで、不規則な変化があり、見る人に揺らぎによる安息効果を与える。
【図面の簡単な説明】
【図１】市販商品１の正面図である。
【図２】市販商品２の正面図である。
【図３】実施例１の正面図である。
【図４】実施例２の正面図である。
【図５】実施例３の正面図である。
【図６】実施例４の正面図である。
【符号の説明】
１ａ．上側の吊り糸
１ｂ．下側の吊り糸
２．  風受け回転体
２ａ．風受け回転体のバランス中心
２ｂ．アーム
２ｃ．受風部
２ｄ．フレーム
３．  回転体
３ａ．回転体のバランス中心
３ｂ．アーム
３ｃ．飾り部
４．  飾り回転体
４ａ．飾りのアーム
４ｂ．受風部
４ｃ．飾り部
【図１】
0003104393.tif 000003
【図２】
0003104393.tif 000004
【図３】
0003104393.tif 000005
【図４】
0003104393.tif 000006
【図５】
0003104393.tif 000007
【図６】
0003104393.tif 000008